(57)【要約】      （修正有）【課題】アプリケータを備える新規の配合物包装体を提供する。【解決手段】包装体は、開口を持つ本体１００と、少なくとも一部が開口を経て本体に収容された状態でそれに取り付けられる拭き取りユニット２００と、本体に取り外し可能に取り付けられるアプリケータ３００であって、把持部３１０と主要部３２０を備え、主要部はアプリケータが本体に取り付けられるときユニットを通過し本体内の配合物Ｆに浸漬されるアプリケータとを備える。ユニットはアプリケータが本体に取り付けられた状態で主要部を挟むよう向き合う第１・第２の拭き取り部材２１０，２２０を備える。ユニットは主要部が第１・第２の拭き取り部材間に形成される拭き取り領域を通過するとき、第１・第２の拭き取り部材が主要部の圧縮可能部分３２１を協働して押すよう構成される。【選択図】図３
2018094055.tif 000002
【特許請求の範囲】
【請求項１】
配合物(F)を収容するための包装体(10)であって、
上端に開口(110)を有する容器を形成する包装体本体(100)と、
拭き取りユニット(200)の少なくとも一部が前記包装体本体(100)の前記開口(110)を通って前記包装体本体(100)内に収容されている状態で前記包装体本体(100)に取り付けられる拭き取りユニット(200)と、
前記包装体本体(100)に取り外し可能に取り付けられるアプリケータ(300)であって、把持部(310)と、前記把持部(310)から延びるアプリケータ主要部(320)とを備え、前記アプリケータ主要部(320)は、前記アプリケータ(300)が前記包装体本体(100)に取り付けられるとき、前記拭き取りユニット(200)を通過し前記包装体本体(100)内の前記配合物(F)に浸漬される、アプリケータ(300)と
を備え、
前記拭き取りユニット(200)は、前記アプリケータ(300)が前記包装体本体(100)に取り付けられている状態において前記アプリケータ主要部(320)を間に挟むように互いに向き合って配置される第1の拭き取り部材(210)と第2の拭き取り部材(220)とを備え、
前記拭き取りユニット(200)は、前記アプリケータ主要部(320)が前記第1の拭き取り部材(210)と前記第2の拭き取り部材(220)との間に形成される拭き取り領域(230)を通過するとき、前記第1の拭き取り部材(210)および前記第2の拭き取り部材(220)が前記アプリケータ主要部(320)の圧縮可能部分(321)を協働して押すように構成される、包装体(10)。
【請求項２】
前記アプリケータ主要部(320)は、少なくとも前記把持部(310)から離れたその遠位端側において、前記配合物(F)を保持するために前記圧縮可能部分(321)を備える、請求項1に記載の包装体(10)。
【請求項３】
前記拭き取りユニット(200)は、前記アプリケータ主要部(320)が前記拭き取り領域(230)を通過するとき、前記第1の拭き取り部材(210)および前記第2の拭き取り部材(220)が前記アプリケータ主要部(320)の前記圧縮可能部分(321)を協働して漸進的に押すように構成される、請求項1または2に記載の包装体(10)。
【請求項４】
前記第1の拭き取り部材(210)および/または前記第2の拭き取り部材(220)の断面が、少なくとも前記拭き取り領域(230)に面する側において、略円弧状の輪郭を有する、請求項1から3のいずれか一項に記載の包装体(10)。
【請求項５】
前記第1の拭き取り部材(210)および/または前記第2の拭き取り部材(220)は、前記第1の拭き取り部材(210)と前記第2の拭き取り部材(220)との間の間隔が前記拭き取り領域(230)の中心において最大に達する略円弧状の形を有する、請求項1から4のいずれか一項に記載の包装体(10)。
【請求項６】
前記拭き取りユニット(200)は、
前記アプリケータ主要部(320)が通過する開口(250)を有しており、前記包装体本体(100)の上端によって支持される上板(240)と、
前記上板(240)の下面から延びる環状壁(260)と
をさらに備え、
前記第1の拭き取り部材(210)および前記第2の拭き取り部材(220)は、前記環状壁(260)の内周面(260a)の2つの相対する領域の間に橋梁部を形成するように、前記環状壁(260)の前記内周面(260a)によって囲まれた空間に設けられる、請求項1から5のいずれか一項に記載の包装体(10)。
【請求項７】
前記拭き取りユニット(200)は、前記アプリケータ主要部(320)が前記拭き取り領域(230)にある状態において、前記第1の拭き取り部材(210)と前記第2の拭き取り部材(220)の上方および下方に存在する2つの空間の間の連通を可能にする通路(270)を備える、請求項1から6のいずれか一項に記載の包装体(10)。
【請求項８】
前記拭き取りユニット(200)は、
前記環状壁(260)の前記内周面(260a)と前記第1の拭き取り部材(210)との間の領域を少なくとも部分的に閉じるように、前記内周面(260a)から突出する第1の障壁(280)と、
前記環状壁(260)の前記内周面(260a)と前記第2の拭き取り部材(220)との間の領域を少なくとも部分的に閉じるように、前記内周面(260a)から突出する第2の障壁(290)と
をさらに備え、
前記第1の障壁(280)および第2の障壁(290)は、前記第1の拭き取り部材(210)および前記第2の拭き取り部材(220)が設けられる高さより上の高さに存在し、
前記通路(270)は、前記第1の障壁(280)と前記第1の拭き取り部材(210)との間に形成される隙間と、前記第2の障壁(290)と前記第2の拭き取り部材(220)との間に形成される隙間とから成る、請求項7に記載の包装体(10)。
【請求項９】
前記アプリケータ主要部(320)は、
前記把持部(310)から延びており、断面輪郭がほぼ一定である領域(322a)を有している非圧縮可能部分(322)と、
前記把持部(310)から離れるように前記非圧縮可能部分(322)から延びており、断面輪郭がほぼ一定である領域(321a)を有している前記圧縮可能部分(321)と
を備え、
前記圧縮可能部分(321)における前記領域(321a)の前記断面輪郭は、前記非圧縮可能部分(322)における前記領域(322a)の前記断面輪郭より大きい、請求項1から8のいずれか一項に記載の包装体(10)。
【請求項１０】
前記非圧縮可能部分(322)における前記領域(322a)の前記断面輪郭は、前記拭き取り領域(230)の形に実質的に対応する、請求項9に記載の包装体(10)。
【請求項１１】
前記圧縮可能部分(321)の少なくとも表面層部分がスポンジから形成される、請求項1から10のいずれか一項に記載の包装体(10)。
【発明の詳細な説明】
【技術分野】
【０００１】
本発明は、アプリケータを備える包装体に関し、より正確には、化粧配合物など、配合物を包装および分配/塗布するための組立体に関する。
【背景技術】
【０００２】
液体ファンデーションなど、流動性を有する化粧用配合物のための、アプリケータを備える包装体が知られている。この包装体では、アプリケータのヘラ部が、アプリケータが包装体本体に取り付けられている状態で配合物に浸漬されている。使用するとき、使用者は、アプリケータを包装体本体から取り出し、次に、アプリケータを使用して、ヘラ部に付着した配合物を例えば顔に塗布する。続いて、塗布された配合物は、例えば化粧用パフを用いてさらに伸ばされる。
【０００３】
このような包装体では、アプリケータが包装体本体から取り出されるときにヘラ部に付着している配合物の量がしばしば過剰となる。過剰な量の配合物がヘラ部に付着している状態でアプリケータが操作される場合、配合物が垂れ、衣服、化粧台、床などを汚す可能性があり、過剰なメーキャップ用配合物が使用者の身体部分に付着する可能性があり、これはメーキャップ効果の魅力を損なうことになり得る。そのため、アプリケータを包装体本体から完全に取り出す前に、過剰な配合物をヘラ部から除去する必要がある。
【０００４】
アプリケータに過剰に付着した配合物は、通常、包装体の本体側に設けられたワイパにアプリケータのヘラ部を擦り付けることにより除去される。しかしながら、この方法では、使い勝手が悪く、ヘラ部が過剰な力でワイパに擦り付けられる場合、ヘラ部またはワイパは損傷する可能性がある。
【０００５】
例えば、特許文献1〜7は、本発明に関係すると考えられる先行技術、すなわち、アプリケータなどを拭くための、複数領域を有した楕円形のワイパを開示している。
【０００６】
さらに、本発明に関係すると考えられる先行技術は、例えば、特許文献8〜11にも開示されている。しかしながら、これらの発行物に開示されている先行技術は、単一のワイパを含む単一の拭き取りシステムにすぎない。
【先行技術文献】
【特許文献】
【０００７】
【特許文献１】仏国特許出願公開第2506580号明細書
【特許文献２】仏国特許出願公開第2933281号明細書
【特許文献３】欧州特許第144616号明細書
【特許文献４】仏国特許出願公開第2603780号明細書
【特許文献５】欧州特許第2451308号明細書
【特許文献６】仏国特許出願公開第2470066号明細書
【特許文献７】仏国特許発明第2947702号明細書
【特許文献８】仏国特許出願公開第1177741号明細書
【特許文献９】米国特許第4403624号明細書
【特許文献１０】米国特許第5349972号明細書
【特許文献１１】米国特許第5875791号明細書
【発明の概要】
【発明が解決しようとする課題】
【０００８】
本発明の目的は、先行技術の欠点を緩和または取り除くための、アプリケータを備える新規の配合物包装体を提供することである。
【課題を解決するための手段】
【０００９】
本発明は、配合物を収容するための包装体であって、上端に開口を有する容器を形成する包装体本体と、拭き取りユニットの少なくとも一部が包装体本体の開口を通って包装体本体内に収容されている状態で包装体本体に取り付けられる拭き取りユニットと、包装体本体に取り外し可能に取り付けられるアプリケータであって、把持部と、把持部から延びるアプリケータ主要部とを備え、アプリケータ主要部は、アプリケータが包装体本体に取り付けられるとき、拭き取りユニットを通過し包装体本体内の配合物に浸漬される、アプリケータとを備え、拭き取りユニットは、アプリケータが包装体本体に取り付けられている状態においてアプリケータ主要部を間に挟むように互いに向き合って配置される第1の拭き取り部材と第2の拭き取り部材とを備え、拭き取りユニットは、アプリケータ主要部が第1の拭き取り部材と第2の拭き取り部材との間に形成される拭き取り領域を通過するとき、第1の拭き取り部材および第2の拭き取り部材がアプリケータ主要部の圧縮可能部分を協働して押すように構成される、包装体を提供する。
【００１０】
前述のように構成されることで特徴付けられる本発明によれば、使用者は、配合物を所望の領域に塗布するためにアプリケータを使用するとき、アプリケータを包装体本体から取り出すだけで、アプリケータ主要部に付着した過剰の配合物を除去でき、結果として、アプリケータは配合物を塗布するために使用する準備ができる。これは、アプリケータが包装体本体から取り出されている間に、または、別の言い方をすれば、アプリケータ主要部の圧縮可能部分が、第1の拭き取り部材と第2の拭き取り部材との間に形成される拭き取り領域を通過するときに、第1および第2の拭き取り部材が圧縮可能部分を協働して押すためである。この押す動作によって、圧縮可能部分が拭き取り領域を完全に通過するとき、圧縮可能部分に保持された過剰な配合物が除去され、そのため、適切な量の配合物だけが圧縮可能部分に残る。第1および第2の拭き取り部材は、アプリケータが包装体本体から取り出されるときだけでなく、アプリケータが包装体本体へと挿入されるとき、または、別の言い方をすれば、拭き取りユニットがアプリケータの上向きと下向きの両方向の移動に対処するように備え付けられるときにも、同様に機能する。さらに、本発明によれば、アプリケータ主要部における過剰な配合物は、アプリケータ主要部を拭き取り部材に擦り付けることによってではなく、第1および第2の拭き取り部材によって実施される押す動作によって除去され、したがって、アプリケータ主要部または拭き取り部材への損傷の可能性は、著しく小さい。
【００１１】
本明細書で用いられる「配合物」という用語は、液体またはクリームの状態にあって流動性を有する化粧用配合物などの配合物を網羅する総括的な用語である。特に、化粧用配合物は、ケア用配合物またはメーキャップ用配合物であり得る。このような化粧用配合物として、限定されることはないが、例えば、液体ファンデーション、液体コンシーラ、乳液、ローション、クリーム、ヘアケア製品などに言及することができる。「化粧用配合物」という表現は、化粧製品に関する2009年11月30日の欧州理事会および議会規則1223/2009に定められているような製品を意味すると理解される。
【００１２】
本発明の好ましい態様では、アプリケータ主要部は、少なくとも把持部から離れたその遠位端側において、配合物を保持するために圧縮可能部分を備える。本発明の別の好ましい態様では、拭き取りユニットは、アプリケータ主要部が拭き取り領域を通過するとき、第1の拭き取り部材および第2の拭き取り部材がアプリケータ主要部の圧縮可能部分を協働して漸進的に押すように構成される。本発明の好ましい態様では、アプリケータ主要部はヘラの形態である。
【００１３】
本発明の好ましい態様では、第1の拭き取り部材および/または第2の拭き取り部材の断面が、少なくとも拭き取り領域に面する側において、略円弧状の輪郭、すなわち、滑らかな輪郭を有する。特に、第1の拭き取り部材と第2の拭き取り部材の両方の断面は、好ましくは、このような輪郭を有する。
【００１４】
本発明の好ましい態様では、第1の拭き取り部材および/または第2の拭き取り部材は、第1の拭き取り部材と第2の拭き取り部材との間の間隔が拭き取り領域の中心において最大に達する略円弧状の形を有する。特に、第1の拭き取り部材と第2の拭き取り部材の両方は、好ましくは、このような形を有する。
【００１５】
本発明の好ましい態様では、拭き取りユニットは、アプリケータ主要部が通過する開口を有しており、包装体本体の上端によって支持される上板と、上板の下面から延びる環状壁とをさらに備え、第1の拭き取り部材および第2の拭き取り部材は、環状壁の内周面の2つの相対する領域の間に橋梁部を形成するように、環状壁の内周面によって囲まれた空間に設けられる。
【００１６】
本発明の好ましい態様では、拭き取りユニットは、アプリケータ主要部が拭き取り領域にある状態において、第1の拭き取り部材と第2の拭き取り部材の上方および下方に存在する2つの空間の間の連通を可能にする通路を備える。本発明の特に好ましい態様では、拭き取りユニットは、環状壁の内周面と第1の拭き取り部材との間の領域を少なくとも部分的に閉じるように、環状壁の内周面から突出する第1の障壁と、環状壁の内周面と第2の拭き取り部材との間の領域を少なくとも部分的に閉じるように、環状壁の内周面から突出する第2の障壁とをさらに備え、第1の障壁および第2の障壁は、第1の拭き取り部材および第2の拭き取り部材が設けられる高さより上の高さに存在し、通路は、第1の障壁と第1の拭き取り部材との間に形成される隙間と、第2の障壁と第2の拭き取り部材との間に形成される隙間とから成る。
【００１７】
本発明の好ましい態様では、アプリケータ主要部は、把持部から延びており、断面輪郭がほぼ一定である領域を有している非圧縮可能部分と、把持部から離れるように非圧縮可能部分から延びており、断面輪郭がほぼ一定である領域を有している圧縮可能部分とを備え、圧縮可能部分における領域の断面輪郭は、非圧縮可能部分における領域の断面輪郭より大きい。本発明の特に好ましい態様では、非圧縮可能部分における領域の断面輪郭は、拭き取り領域の形に実質的に対応する。
【００１８】
本発明の好ましい態様では、圧縮可能部分の少なくとも表面層部分がスポンジから形成される。
【００１９】
ここで、本発明の非限定的で代表的な実施形態が、添付の図面を参照しながら詳細に説明される。
【図面の簡単な説明】
【００２０】
【図１】アプリケータが包装体本体に取り付けられている状態での本発明による包装体の実施形態を示す斜視図である。
【図２】分解された状態での図1の包装体を示す斜視図である。
【図３】図1における線X-Xに沿った包装体の断面図である。
【図４】底面側から見たときの、図2に示した拭き取りユニットの斜視図である。
【図５】図4に示した拭き取りユニットの底面図である。
【図６】アプリケータを包装体本体から取り外すときの拭き取りユニットの動作を示す図である。
【図７】アプリケータを包装体本体へと挿入するときの拭き取りユニットの動作を示す図である。
【発明を実施するための形態】
【００２１】
図1〜図7は、配合物、詳細には化粧用配合物、具体的には、液体配合物を収容するための、アプリケータを伴う包装体の例示の実施形態を示している。これらの図面では、符号10によって指示されている包装体は、以下のもの、すなわち、例えばガラスボトルであり、配合物Fを収容する包装体本体100と、包装体本体100に取り付けられる拭き取りユニット200と、(この実施形態では、後で説明するようにカバーを介して)包装体本体100に取り外し可能に取り付けられるアプリケータ300と、包装体本体100の上端に取り付けられるショルダーカバー400とを備えている。
【００２２】
包装体10を分解された状態で示している図2から理解され得るように、包装体本体100は、その上端において開口110を有する容器を形成している。拭き取りユニット200は、後で説明される上板240を除く拭き取りユニット200の大部分が包装体本体100の開口110を通って包装体本体100内に収容されている状態で包装体本体100に取り付けられる。ショルダーカバー400の内周面に形成された雌ネジと係合する雄ネジが、包装体本体100の上端に設けられている。さらに、図3から理解され得るように、拭き取りユニット200の上板240は包装体本体100の上端と係合し、それによって拭き取りユニット200は包装体本体100に固定される。
【００２３】
アプリケータ300は、把持部310と、把持部310から延びるアプリケータ主要部320とを備えている。アプリケータ300が包装体本体100に取り付けられるとき、アプリケータ主要部320は、包装体本体100内の配合物Fに浸漬されるように拭き取りユニット200を通過する。アプリケータ主要部320は、把持部310から離れたその遠位端側において、配合物Fを保持するために圧縮可能部分321を有する。
【００２４】
さらに詳細には、アプリケータ主要部320は、把持部310から延びる非圧縮可能部分322と、把持部310から離れるように非圧縮可能部分322から延びる圧縮可能部分321とを備えている。非圧縮可能部分322は、断面輪郭がほぼ一定である領域322aを有し、他方で、圧縮可能部分321も、断面輪郭がほぼ一定である領域321aを有する。この実施形態では、領域322aおよび321aの断面輪郭は楕円形である。さらに、領域321aの断面輪郭は領域322aの断面輪郭より大きい。領域322aの断面輪郭は、後で説明される拭き取り領域230の形に実質的に対応している。
【００２５】
この実施形態では、圧縮可能部分321の表面層部分がスポンジから形成されている。別の言い方をすれば、圧縮可能部分321は、非圧縮可能部分322から延びる柄部330と、柄部330を覆うように柄部330に固着されるスポンジから作られるカバー340とを備えている。この実施形態では、把持部310、非圧縮可能部分322、および柄部330は、樹脂材料を用いて一体成形によって製造されている。さらに、把持部310は、その底端において円形の鍔部311を備えている。アプリケータ300が包装体本体100に取り付けられるとき、鍔部311はショルダーカバー400の凹所410と係合する。この方法では、包装体本体100はショルダーカバー400を介してアプリケータ300を支持する。
【００２６】
図4および図5から理解できるように、拭き取りユニット200は、上板240と、上板240の底面から延びる環状壁260と、環状壁260の内周面260aによって囲まれた空間に設けられた第1の拭き取り部材210および第2の拭き取り部材220とを備えている。上板240は、中心において、アプリケータ主要部320が通過する開口250を備えている。先に説明したように、上板240は、包装体本体100の上端によって支持されている。
【００２７】
図3から理解できるように、第1および第2の拭き取り部材210，220は、アプリケータ300が包装体本体100に取り付けられている状態においてアプリケータ主要部320をそれらの間に挟むように互いに向き合って配置される。この実施形態では、特に、第1および第2の拭き取り部材210，220は、環状壁260の内周面260aの2つの相対する領域の間に橋梁部を形成するように、環状壁260の内周面260aによって囲まれた空間に設けられている。
【００２８】
後でより詳細に説明しているように、拭き取りユニット200は、アプリケータ主要部320が第1の拭き取り部材210と第2の拭き取り部材220との間に形成されている拭き取り領域230を通過するとき、第1および第2の拭き取り部材210，220がアプリケータ主要部320の圧縮可能部分321を協働して押し、特に、漸進的に押すように構成される(図4および図5を参照されたい)。
【００２９】
この実施形態では、第1および第2の拭き取り部材210，220の断面は、拭き取り領域230に面する側において、略円弧状の輪郭を有する。しかしながら、第1および第2の拭き取り部材210，220が圧縮可能部分321を協働して押すことができる限り、特に漸進的に押すことができる限り、第1および第2の拭き取り部材210，220の断面は任意の形を有し得る。さらに、この実施形態では、第1および第2の拭き取り部材210，220は、第1の拭き取り部材210と第2の拭き取り部材220との間の間隔が拭き取り領域230の中心において最大に達する(すなわち、外向きに突出する)略円弧状の形を有する。
【００３０】
図4および図5から理解できるように、拭き取りユニット200は、環状壁260の内周面260aと第1の拭き取り部材210との間の領域を少なくとも部分的に閉じるように、内周面260aから突出する第1の障壁280と、環状壁260の内周面260aと第2の拭き取り部材220との間の領域を少なくとも部分的に閉じるように、内周面260aから突出する第2の障壁290とをさらに備えている。第1および第2の障壁280，290は、第1および第2の拭き取り部材210，220が設けられている高さより上の高さに存在する。障壁280，290の存在によって、アプリケータ300が包装体本体100へと挿入されるとき、アプリケータ主要部320は拭き取り領域230を確実に通過する。
【００３１】
また、拭き取りユニット200は、アプリケータ主要部320が拭き取り領域230にある状態において、第1および第2の拭き取り部材210，220の上方および下方に存在する2つの空間(この実施形態では、第1および第2の拭き取り部材210，220の上方に位置決めされ、拭き取りユニット200の環状壁260の内周面260aによって囲まれている空間、および、包装体本体100内の空間)の間の連通を可能にするスリット形の通路270を備えている。この実施形態では、通路270は、第1の障壁280と第1の拭き取り部材210との間に形成される隙間と、第2の障壁290と第2の拭き取り部材220との間に形成される隙間とから成る。
【００３２】
次に、拭き取りユニット200の動作を、図6および図7を用いて説明する。最初に、使用者が、配合物Fを使用者の顔などの所望の領域に塗布するために、アプリケータ300を使用するとき、アプリケータ300は包装体本体100から取り出される。図6から理解できるように、第1および第2の拭き取り部材210，220は、アプリケータ300が取り出されている間に圧縮可能部分321が拭き取り領域230を通過するとき、アプリケータ300のアプリケータ主要部320の圧縮可能部分321を協働して漸進的に押す。結果として、圧縮可能部分321が拭き取り領域230を完全に通過したとき、圧縮可能部分321に保持された過剰な配合物Fが除去される。そのため、適切な量の配合物だけが圧縮可能部分321に残る。この方法では、包装体10において、アプリケータ300を包装体本体100から取り出すだけで、アプリケータ300は、配合物Fを塗布するために使用者によって使用される準備ができる。さらに、過剰な配合物Fは、圧縮可能部分321を第1および第2の拭き取り部材210，220に擦り付けることによってではなく、第1および第の拭き取り部材210，220により実施される押す動作によって除去され、したがって、圧縮可能部分321または拭き取り部材210，220への損傷の可能性が著しく小さくなる。
【００３３】
拭き取りユニット200は、アプリケータ300が包装体本体100から取り出されるときだけでなく、アプリケータ300が包装体本体100へと挿入されるときにも同様に機能する。そのため、拭き取りユニット200は、アプリケータ300の上向きと下向きの両方向での移動に対処するように備え付けられている「双方向ユニット」である。図7は、アプリケータ300が包装体本体100へと挿入されるときの拭き取りユニット200の動作を示している。図7から明らかなように、第1および第2の拭き取り部材210，220は、アプリケータ300が挿入されている間に圧縮可能部分321が拭き取り領域230を通過するとき、アプリケータ300のアプリケータ主要部320の圧縮可能部分321をやはり協働して漸進的に押す。この動作の間に圧縮可能部分321から除去される配合物Fがある場合、この配合物Fは、矢印によって指示されているように、拭き取りユニット200の通路270を通って包装体本体100へと戻すことができる。
【００３４】
本発明の様々な実施形態が、図面を参照して上記で説明されてきた。しかしながら、本発明はこれらの実施形態に限定されず、様々な変更および変形が、本発明の主旨および範囲から逸脱することなく、上記の実施形態に行われてもよく、このような変更および変形は、本発明の範囲に含まれる。
【符号の説明】
【００３５】
10  包装体
100  包装体本体
110  開口
200  拭き取りユニット
210  第1の拭き取り部材
220  第2の拭き取り部材
230  拭き取り領域
240  上板
250  開口
260  環状壁
260a  内周面
270  通路
280  第1の障壁
290  第2の障壁
300  アプリケータ
310  把持部
311  鍔部
320  アプリケータ主要部
321  圧縮可能部分
321a  領域
322  非圧縮可能部分
322a  領域
400  ショルダーカバー
410  凹所
F  配合物
【図１】
2018094055.tif 000003
【図２】
2018094055.tif 000004
【図３】
2018094055.tif 000005
【図４】
2018094055.tif 000006
【図５】
2018094055.tif 000007
【図６】
2018094055.tif 000008
【図７】
2018094055.tif 000009
【外国語明細書】
2018094055000001.pdf